(57)【要約】【課題】実銃より発射可能な非致死性の拘束具を提供する。【解決手段】  実銃から弾丸が発射される場合において、ライフリングによって引き起こされる弾頭１の回転と、弾丸を発射する為の推進薬の燃焼によって発生する高速ガスを利用し、さらに弾頭１の回転方向に対して反対方向に回転するように配したタービン２の回転によって弾頭内の発電装置５から得られる電気を一時的にコンデンサー７に蓄電し生体への着弾と同時に放電する事で犯人を感電させ拘束することのできる自己発電式スタンブレットを提供する。【選択図】図１
2005300009.tif 000002
【特許請求の範囲】
【請求項１】
実銃から弾丸が発射される場合において、銃身内加速中においてはライフリングの作用のみによって弾頭が回転し、銃身を離れる瞬間に弾頭に設けられたガスエスケープスリットから銃身内の高圧ガスが抜けようとする際に、弾頭後部にライフリングによる回転と反対方向に回転するように配されたタービンを通過するため、弾頭前部とタービンがそれぞれ反対方向に回転し、その双方の急激な回転を利用して弾頭内の発電体によって発電させる自己発電式弾丸。
【請求項２】
請求項１の自己発電式弾丸において、その発電した電気をコンデンサーによって一時的に蓄電し生体への着弾と同時に一気に放電させ電気的衝撃によって生体の行動力を奪う自己発電式スタンブレット。
【請求項３】
請求項１の自己発電式弾丸において、銃口離脱後に空気抵抗によってタービンに与えようとする回転方向が、高速ガスによるタービンの回転方向と反対である事によって弾丸の射程距離とタービンの回転速度が減少しないようにするために、タービンの羽根の断面の形状を三角形にし、一方の斜面で高速ガスによる回転、もう一方の斜面で弾丸前進の際の空気抵抗による回転を受ける事で、それぞれが同一方向に回転を与え、空気抵抗による射程距離と回転速度の低下を抑えるタービンの羽根の形状。
【発明の詳細な説明】
【技術分野】
【０００１】
本発明は、弾丸の発射に用いる推進薬の燃焼による高速ガスを利用したタービンの回転運動とライフリングによる回転運動によって発電体を発電せる為の構造と、それを利用した発射式のスタンガンに関する発明である。
【背景技術】
【０００２】
近年の治安の悪化と犯罪の凶悪化に伴い警察機関はより強力な武器を使用する必要性に迫られている。しかし、使用する武器の強力化は不必要な殺傷を生み出す原因ともなり、確実な制止力を備えた非致死性の拘束具の開発が急がれている。
【０００３】
この非致死性の拘束具として、発射機構によって特殊な弾頭を発射し、それによって犯人を拘束するものが発明されている。その一部を例示すると、弾頭内に仕込んだネットが開放し犯人を捕らえるものや、予め準備しておいた電源から充電したものを発射し着弾と同時に放電するスタンガンのようなもの等が発明されているが、いずれも弾丸が大きく、それを発射する為に特別な装置が必要である。しかし、通常の勤務状態において警察官が偶然犯人に遭遇した場合、また、緊急の通報を受けて一番最初に現場に駆けつけた警察官が、このような特殊な装備を携帯している事は少なく、突発的な事案においては携行に支障がない事が求められる。
【０００４】
そこで、実銃から発射できる非致死性の弾頭として、着弾の際の衝撃で圧電素子を打撃しその際に発せられる電気的衝撃によって生体の行動力を奪うものが発明されているが、生体への着弾は必ずしも垂直的でなく、また、犯人との距離が離れると打撃体による圧電素子の打撃が不十分となり生体への放電という面で不確実性が残る。
【特許文献１】特開２００１−５１３０８９号公報
【特許文献２】国際公開２００４−００１３２５号パンフレット
【特許文献３】特開２００３−４２６９５号公報
【発明の開示】
【発明が解決しようとする課題】
【０００５】
解決しようとする課題は、携行性と強力な制止力そして確実な作動性を備えた非致死性の拘束具を提供する事である。
【課題を解決するための手段】
【０００６】
本発明は、弾丸を発射する為に使用する推進薬の燃焼によって発せられる高速ガスを利用して、弾丸後部に備えたタービンを回転させ、発電したものを一時的に蓄電し、着弾時にそれを生体に向けて放電し、感電させる事で生体の行動を一時的に制止させることを最も主要な特徴とする。
【発明の効果】
【０００７】
本発明の自己発電式スタンブレットは、弾丸発射の際の推進薬の燃焼による高速ガスを利用するため、特別な電源と発射装置を必要としないため携帯性に優れ、警察官等の突発的な事案に対して十分対応できる。
【発明を実施するための最良の形態】
【０００８】
拳銃から発射可能なように、実弾と同サイズで発射から着弾までの距離においてスタンガンとして十分機能するような電力を得るという目的を、最小限の部品構成で実現した。
【実施例１】
【０００９】
図１は、本発明装置である自己発電式スタンブレットの弾頭１及び薬莢３の断面図である。弾頭１及びタービン２は保管時において薬莢３によって先端部まで覆われ、放電針９及び放電リング８を保護する役割も持つ。弾頭１とタービン２はシャフト５で連結されておりそれぞれ独立して回転し、それによって弾頭内の発電体６が発電する本発明は、弾丸発射の際のライフリンによる回転とタービンの回転によって発電させる事及びそれを利用したスタンガンの発明にあるため発電体の発電機構については省略する。
【００１０】
図２は自己発電式スタンブレットの配線図である。
【００１１】
図３は自己発電式スタンブレットが実際に実銃から発射される場合において銃身内において加速している状態をイメージしたものである。薬莢内の推進薬１０の燃焼によって高速ガスが発生し弾丸を強力に押し出そうとするのは通常の弾丸と同じであり、この場合において銃身内に刻まれたライフリング１２の作用によって弾頭１が回転する。この場合の弾頭の回転する速度は弾丸の種類やライフリングのピッチにもよるが、銃口初速３００ｍ／ｓ、１ｍで１回転するライフリングピッチの拳銃によって発射された場合、その弾丸の至近距離における回転速度は３００ｒｐｍ／ｓとかなりの高速回転が得られる。
【００１２】
図４は自己発電式スタンブレットが銃口を離れる瞬間をイメージしたものである。弾頭１にはガスエスケープスリット４が刻まれており、弾頭加速後も膨張を続ける高速ガスはこの一瞬にガスエスケープスリット４を伝って抜けようとする。ここで高速ガスは、弾頭１とシャフト５によって連結され弾頭の回転と反対方向に回転するように羽根を配されたタービン２を通過しなければならず、その通過のエネルギーでタービン２を弾頭１と反対方向に回転させる。ここで、一般のコンプレッサーを用いて作動するエアー式の工具であるルーターが６気圧程度の使用においても３００ｒｐｍ／ｓを超える。一方、銃身内に閉じ込められた推進薬の燃焼による高圧ガスの圧力は拳銃に用いる弾丸でも数百気圧に達する為、ガスエスケープスリット４が銃口から覗く一瞬の間においてもタービン２に相当な回転を与え、銃口離脱後も数センチ間はその効果を持続する。そして、更にライフリング１２の影響による弾頭１の回転とタービン２の相反する回転の相乗効果によって、発射から着弾までの短時間であったとしてもスタンガンとして機能するのに十分な電気を発電体５が作り出す為の回転を与えることができる。そして発電体５で作り出された電気はコンデンサー７に蓄えられ生体への着弾と同時に一気に放電する事でスタンガンとしての効果を発揮する。
【００１３】
図５はタービン２の羽根の形状と高圧ガス及び空気抵抗の及ぼす影響についてイメージしたものである。本発明においてタービンは後方からの高速ガスの力を受けて回転するようになっているが、銃口を離れるとタービンの回転方向と、前方からの空気抵抗によって引き起こされるタービンの回転方向は相反し、弾丸自体の前進についてみるとブレーキとなり飛距離が低下する原因となりかねず、更にタービンの回転速度を減少させる原因にもなってしまう。そこで、タービンの形状を図６のよう側面から見た場合に三角形になるようにすると、タービンは銃口離脱時においてこれまでと同様に高速ガスを利用して急激に回転し、一旦銃口を離れても、これまで発生している回転はそのままでありながら、弾頭側から見てもタービンは前方からの空気抵抗を受け、同方向に回転させる力をタービンに与える為、結果的に飛距離と回転速度の低下を抑えることが可能である。
【産業上の利用可能性】
【００１４】
本発明である自己発電式スタンブレットは、警察官は通常所持している拳銃の弾丸を交換するだけで発射可能であるため携帯性に優れ、操作方法に特殊な技術を必要としないため、突発的な事案に対しても十分に対応する事ができ、生体を感電させる事で犯人等を確実に制圧する事ができる。また、自己発電式弾丸は通常は飛翔中であればタービンと弾頭は回り続けており電気を供給し続けるので、本発明のようにスタンガンの電源としてのみならず自動追尾式の弾丸の電源装置、発光式の弾丸の電源装置、そして時限発火式弾丸の電源装置としても利用することが出来る。
【図面の簡単な説明】
【００１５】
【図１】自己発電式スタンブレットの弾頭および薬莢の断面図を示したものである。
【図２】自己発電式弾丸の配線図である。
【図３】自己発電式スタンブレットの銃身内加速中のイメージである。
【図４】自己発電式スタンブレットの銃身を出た瞬間のイメージである。
【図５】自己発電式弾丸においてタービンの羽根の形状と高圧ガス及び空気抵抗の及ぼす影響についてイメージしたものである。
【図６】前方からの空気抵抗を受け流すタービンの形状と高圧ガス及び空気抵抗の及ぼす影響についてイメージしたものである。
【符号の説明】
【００１６】
１    弾頭
２    タービン
３    薬莢
４    エアエスケープスリット
５    シャフト
６    発電体
７    コンデンサー
８    放電リング
９    放電針
１０  推進薬
１１  銃身
１２  ライフリング
【図１】
2005300009.tif 000003
【図２】
2005300009.tif 000004
【図３】
2005300009.tif 000005
【図４】
2005300009.tif 000006
【図５】
2005300009.tif 000007
【図６】
2005300009.tif 000008